【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
プロセッサを含む頭部装着型仮想現実／拡張現実（ＶＲ／ＡＲ）ディスプレイシステムであって、前記プロセッサは、画像を前記頭部装着型ＶＲ／ＡＲディスプレイシステムのグラフィックディスプレイ上に表示するように構成される、頭部装着型仮想現実／拡張現実（ＶＲ／ＡＲ）ディスプレイシステムと、
ユーザーが装着するように構成されたヘッドピースを含む骨組みシステムであって、前記ヘッドピースは、前記頭部装着型ＶＲ／ＡＲディスプレイシステムを前記骨組みシステムの前記ヘッドピースに締結及び締結解除するように構成された少なくとも１つの締結具を含み、前記少なくとも１つの締結具は、ヘッドギアを前記骨組みシステムの前記ヘッドピースに締結及び締結解除するように構成される、骨組みシステムと、
を備える、システム。
【請求項２】
前記ヘッドピースは、一体成形の無調整式のヘッドピースを含む、請求項１に記載のシステム。
【請求項３】
前記一体形成の無調整式ヘッドピースは、ヘッドバンドセクションと、前記ヘッドバンドセクションから外向きに延びる少なくとも１つの湾曲突起セクションとを含み、前記少なくとも１つの湾曲突起セクションは、前記ユーザーの頭部の一部分の上方に位置するように構成される、請求項２に記載のシステム。
【請求項４】
前記ヘッドピースは、調整式ヘッドバンド構成要素を有する複数構成要素ヘッドピースを含む、請求項１に記載のシステム。
【請求項５】
前記少なくとも１つの締結具は、磁気締結具、機械的締結具、又はその組み合わせを含む、請求項１に記載のシステム。
【請求項６】
前記ヘッドギアは、前記ヘッドギアを前記骨組みシステムにしっかり固定するために、前記少なくとも１つの締結具と結合するように構成された第２の締結具を有するキャップ、帽子、頭装着傘、又はその組み合わせを含む、請求項１に記載のシステム。
【請求項７】
前記頭部装着型ＶＲ／ＡＲシステムを有する乗客車両を備え、前記頭部装着型ＶＲ／ＡＲディスプレイシステムは、仮想環境を提供するように構成されたＶＲシステム、コンピュータから引き出された視界で拡張された実世界視界を提示するように構成されたＡＲシステム、又はその組み合わせを備え、前記ヘッドギアは、前記少なくとも１つの締結具で締結された場合、前記ヘッドピースの少なくとも一部分を覆うよう構成される、請求項１に記載のシステム。
【請求項８】
前記乗客車両は、前記ユーザーを前記乗客車両にしっかり固定するように構成された乗客座席システムを備え、前記頭部装着型ＶＲ／ＡＲシステムは、前記乗客座席システム内に配置される、請求項７に記載のシステム。
【請求項９】
前記乗客座席システムは、前記ユーザーを前記乗客車両にしっかり固定するのを助けるために前記ユーザーの膝の上に配置されるように構成されたカマーバンドシステムを備え、前記頭部装着型ＶＲ／ＡＲディスプレイシステムは、前記カマーバンドシステム内に配置される、請求項８に記載のシステム。
【請求項１０】
前記乗客座席システムは、前記ユーザーが前記乗客座席システムに着座した場合に、前記ユーザーの頭上に配置される棚状突起を備え、前記頭部装着型ＶＲ／ＡＲディスプレイシステムは、前記頭上棚状突起の中に配置される、請求項８に記載のシステム。
【請求項１１】
前記頭部装着型ＶＲ／ＡＲディスプレイシステムは、乗客車両との間でＶＲデータ、電力、又はその組み合わせを伝えるように構成されたアンビリカルコンジットシステムを備える、請求項１に記載のシステム。
【請求項１２】
仮想現実／拡張現実（ＶＲ／ＡＲ）ディスプレイシステムを備える乗客車両であって、
前記仮想現実／拡張現実（ＶＲ／ＡＲ）ディスプレイシステムは、
画像を前記ＶＲ／ＡＲディスプレイシステムのグラフィックディスプレイ上に表示するように構成されたプロセッサと、
ヘッドピースを備える骨組みシステムと、
前記ヘッドピースは、頭部装着型ＶＲ／ＡＲディスプレイシステムを前記骨組みシステムの前記ユーザーが装着するように構成された前記ヘッドピースに締結及び締結解除するように構成された前記骨組みシステムの第１の締結具と、
ヘッドギアを前記ヘッドピースに締結及び締結解除するように構成された前記骨組みシステムの第２の締結具と、
を備え、
前記ヘッドギアは、前記第２の締結具で締結される場合、前記ヘッドピースの少なくとも一部を覆うように構成される、第２の締結具と、
乗客車両。
【請求項１３】
前記ユーザーを前記乗客車両にしっかり固定するように構成された乗客座席システムを備え、前記ＶＲ／ＡＲディスプレイシステムは、乗客座席システム内に配置される、請求項１２に記載の乗客車両。
【請求項１４】
前記乗客座席システムは、前記ユーザーを前記乗客車両にしっかり固定するのを助けるために前記ユーザーの膝の上に配置されるように構成されたカマーバンドシステムを備え、前記ＶＲ／ＡＲディスプレイシステムは、前記カマーバンドシステム内に配置される、請求項１３に記載の乗客車両。
【請求項１５】
前記乗客座席システムは、前記ユーザーが前記乗客座席システムに着座した場合に、前記ユーザーの頭上に配置される棚状突起を備え、前記ＶＲ／ＡＲディスプレイシステムは、前記頭上棚状突起の中に配置される、請求項１３に記載の乗客車両。
【請求項１６】
前記ＶＲ／ＡＲディスプレイシステムは、仮想環境を提供するように構成されたＶＲディスプレイシステム、コンピュータから引き出された視界で拡張された実世界視界を提示するように構成されたＡＲディスプレイシステム、又はその組み合わせを備える、請求項１２に記載の乗客車両。
【請求項１７】
前記ＶＲ／ＡＲディスプレイシステムは、乗客車両とＶＲデータ、電力、又はその組み合わせをやりとりするように構成されたアンビリカルコンジットシステムを備える、請求項１２に記載の乗客車両。
【請求項１８】
ユーザーが装着するように構成されたヘッドピースを含む骨組みシステムを備えるシステムであって、前記ヘッドピースは、
頭部装着型ＶＲ／ＡＲディスプレイシステムを前記ヘッドピースに締結及び締結解除するように構成された少なくとも１つの締結具と、
ヘッドギアを前記ヘッドピースに締結及び締結解除するように構成されたヘッドギア接合特徴部と、
を備え、
前記ヘッドギアは、前記ヘッドギア接合特徴部で締結される場合、前記ヘッドピースの少なくとも一部を覆うように構成される、システム。
【請求項１９】
前記ヘッドピースは、ヘッドバンドセクションと、前記ヘッドバンドセクションから外向きに延びる少なくとも１つの湾曲突起セクションとを含む一体成形の無調整式のヘッドピースを含み、前記少なくとも１つの湾曲突起セクションは、前記ユーザーの頭部の一部分の上方に位置するように構成される、請求項１８に記載のシステム。
【請求項２０】
前記骨組みシステムは、前記ＶＲ／ＡＲディスプレイシステムと通信するように構成されたプロセッサを備える、請求項１８に記載のシステム。
【請求項２１】
前記骨組みシステムの前記プロセッサは、前記骨組みシステムに結合された前記ヘッドギアのタイプを、前記ヘッドギアに関連するタグから特定するように構成される、請求項１８に記載のシステム。
【請求項２２】
前記ＶＲ／ＡＲディスプレイシステムは、前記骨組みシステムから前記特定されたヘッドギアのタイプを受け取り、前記ＶＲ／ＡＲディスプレイシステム上での表示を開始して前記特定されたヘッドギアのタイプを示すように構成される、請求項２１に記載のシステム。
【請求項２３】
前記骨組みシステムの前記プロセッサは、前記特定されたヘッドギアのタイプと通信して、前記ヘッドギア上に又は前記ヘッドギア上のトラックポイント上の表示をもたらす、請求項２１に記載のシステム。
【請求項２４】
前記ヘッドギア接合特徴部は、前記ＶＲ／ＡＲディスプレイシステムと互換性がなく、前記前記ＶＲ／ＡＲディスプレイシステムは、前記ヘッドギア接合特徴部に結合しない、請求項１８に記載のシステム。